(57)【要約】      （修正有）【課題】自動撮影と手動撮影とを切換え可能にし、操作性を向上させてスムーズに撮影を行う。【解決手段】眼底を撮影する撮影光学系と、被検眼に投影したアライメント指標像を検出して撮影光学系をアライメントする自動アライメント手段と、眼底に投影したフォーカス指標を検出してフォーカス合わせを行う自動フォーカス手段とを備える眼底カメラにおいて、検者が操作する撮影スイッチと、自動アライメント手段によるアライメント完了及び自動フォーカス手段によるフォーカス完了後に撮影を自動的に実行する自動モードと検者操作による撮影スイッチの信号により撮影を実行する手動モードとを切換えるモード切換手段と、視線を誘導する固視標の呈示位置を眼底中心用と眼底周辺用とに変更可能な固視標呈示手段と、モード切換手段による手動モードから自動モードへの切換信号に連動して、固視標の呈示位置を眼底中心用の位置に設定する固視標制御手段と、を備える。【選択図】      図５
2006149981.tif 000002
【特許請求の範囲】
【請求項１】
被検眼眼底を撮影する撮影光学系と、被検眼に投影したアライメント指標の反射像を検出して前記撮影光学系をアライメントする自動アライメント手段と、被検眼眼底に投影したフォーカス指標を検出してフォーカス合わせを行う自動フォーカス手段とを備える眼底カメラにおいて、
検者が操作する撮影開始スイッチと、前記自動アライメント手段によるアライメント完了及び自動フォーカス手段によるフォーカス完了の後に撮影を自動的に実行する自動撮影モードと検者の操作による前記撮影開始スイッチの信号により撮影を実行する手動撮影モードとを切換えるモード切換手段と、被検眼の視線を誘導する固視標の呈示位置を眼底中心撮影用と眼底周辺撮影用とに変更可能な固視標呈示手段と、前記モード切換手段による手動撮影モードから自動撮影モードへの切換信号に連動して、前記固視標の呈示位置を眼底中心撮影用の位置に設定する固視標制御手段と、を備えることを特徴とする眼底カメラ。
【請求項２】
請求項１の眼底カメラにおいて、前記固視標の呈示位置を変更する信号又は変更を検知する信号を入力する変更手段と、該変更手段による固視標の呈示位置を眼底中心撮影用から眼底周辺撮影用に変更する変更信号に連動して、自動撮影モードから手動撮影モードに切換えるモード切換制御手段と、を備えることを特徴とする眼底カメラ。
【請求項３】
請求項１の眼底カメラにおいて、眼底観察像や撮影画像等を表示するモニタと、該モニタの表示を眼底観察像から他の表示に切換える表示切換手段とを備え、モニタが眼底観察像以外の表示に切換えられているときに、前記撮影開始スイッチを前記撮影モード切換手段として共用する構成としたことを特徴とする眼底カメラ。
【請求項４】
被検眼眼底を撮影する撮影光学系と、被検眼に投影したアライメント指標の反射像を検出して前記撮影光学系をアライメントする自動アライメント手段と、被検眼眼底に投影したフォーカス指標を検出してフォーカス合わせを行う自動フォーカス手段とを備える眼底カメラにおいて、
検者が操作する撮影開始スイッチと、前記自動アライメント手段によるアライメント完了及び自動フォーカス手段によるフォーカス完了の後に撮影を自動的に実行する自動撮影モードと検者の操作による前記撮影開始スイッチの信号により撮影を実行する手動撮影モードとを切換えるモード切換手段と、被検眼の視線を誘導する固視標の呈示位置を眼底中心撮影用と眼底周辺撮影用とに変更可能な固視標呈示手段と、前記固視標の呈示位置を変更する又は変更を検知する変更手段と、該変更手段による固視標の呈示位置を眼底中心撮影用から眼底周辺撮影用に変更する変更信号に連動して、自動撮影モードから手動撮影モードに切換えるモード切換制御手段と、を備えることを特徴とする眼底カメラ。
【請求項５】
被検眼眼底を撮影する撮影光学系と、被検眼に投影したアライメント指標の反射像を検出して前記撮影光学系をアライメントする自動アライメント手段と、被検眼眼底に投影したフォーカス指標を検出してフォーカス合わせを行う自動フォーカス手段とを備える眼底カメラにおいて、
検者が操作する撮影開始スイッチと、前記自動アライメント手段によるアライメント完了及び自動フォーカス手段によるフォーカス完了の後に撮影を自動的に実行する自動撮影モードと検者の操作による前記撮影開始スイッチの信号により撮影を実行する手動撮影モードとを切換えるモード切換手段と、眼底観察像や撮影画像等を表示するモニタと、該モニタの表示を眼底観察像から他の表示に切換える表示切換手段とを備え、モニタが眼底観察像以外の表示に切換えられているときに、前記撮影開始スイッチを前記撮影モード切換手段として共用する構成としたことを特徴とする眼底カメラ。
【発明の詳細な説明】
【技術分野】
【０００１】
本発明は、被検眼の眼底を撮影する眼底カメラに関する。
【背景技術】
【０００２】
被検眼に投影したアライメント指標の反射像の検出に基づいて被検眼に対して眼底撮影光学系を自動的にアライメントした後、眼底に投影したフォーカス指標の検出に基づいてフォーカス合わせまでも自動的に行い、眼底撮影を自動的に実行する自動撮像機能を備えた眼底カメラが提案されている（例えば、特許文献１参照）。
【特許文献１】特開平８−２７５９２１号公報
【発明の開示】
【発明が解決しようとする課題】
【０００３】
上記の自動撮影機能は、眼底中心部を撮影するときには比較的良好に撮影できるが、固視標の視線誘導による眼底周辺部の撮影時には、撮影光軸と被検眼の視軸が大きくずれるためにフォーカス指標が欠けたり、ボケたりして、自動的なフォーカス合わせは難しい。また、アライメント指標の検出も、眼底中心の撮影時と同じ条件ではフレア等が発生しやすくなるため、眼底周辺部撮影の自動アライメントは難しい。このため、眼底周辺部の撮影時には、自動撮影機能を解除して、検者の手動調整によりアライメント及びフォーカスを調整した後、検者が撮影開始スイッチを押して撮影を実行するための手動撮影モードに切換える構成が望ましい。
【０００４】
しかし、手動撮影モードで周辺撮影を行った後に自動撮影モードに切換える場合、固視標の呈示位置を周辺撮影用から眼底中心撮影用に変更する操作と、手動撮影モードから自動撮影モードに変更する操作の両方を行う必要があり、操作が手間である。逆に、自動撮影モードで眼底中心撮影を行った後に、手動撮影モードに変更して眼底周辺撮影を行う場合も、固視標の呈示位置の変更と撮影モードの変更の両方の操作が必要であり、手間である。また、固視標位置を眼底中心撮影用に変更し忘れたり、眼底周辺撮影用のままで自動撮影を実行すると、良好な眼底画像が得られないことが多くなる。またさらに、自動撮影モードと手動撮影モードとを切換えるための専用の切換えスイッチを設けることは、構成が複雑になる問題もある。
【０００５】
本発明は、上記問題点を鑑み、自動撮影と手動撮影とを切換え可能にし、操作性を向上させてスムーズに撮影を行うことができる眼底カメラを提供することを技術課題とする。
【課題を解決するための手段】
【０００６】
（１）  被検眼眼底を撮影する撮影光学系と、被検眼に投影したアライメント指標の反射像を検出して前記撮影光学系をアライメントする自動アライメント手段と、被検眼眼底に投影したフォーカス指標を検出してフォーカス合わせを行う自動フォーカス手段とを備える眼底カメラにおいて、検者が操作する撮影開始スイッチと、前記自動アライメント手段によるアライメント完了及び自動フォーカス手段によるフォーカス完了の後に撮影を自動的に実行する自動撮影モードと検者の操作による前記撮影開始スイッチの信号により撮影を実行する手動撮影モードとを切換えるモード切換手段と、被検眼の視線を誘導する固視標の呈示位置を眼底中心撮影用と眼底周辺撮影用とに変更可能な固視標呈示手段と、前記モード切換手段による手動撮影モードから自動撮影モードへの切換信号に連動して、前記固視標の呈示位置を眼底中心撮影用の位置に設定する固視標制御手段と、を備えることを特徴とする。
（２）  （１）の眼底カメラにおいて、前記固視標の呈示位置を変更する信号又は変更を検知する信号を入力する変更手段と、該変更手段による固視標の呈示位置を眼底中心撮影用から眼底周辺撮影用に変更する変更信号に連動して、自動撮影モードから手動撮影モードに切換えるモード切換制御手段と、を備えることを特徴とする。
（３）  （１）の眼底カメラにおいて、眼底観察像や撮影画像等を表示するモニタと、該モニタの表示を眼底観察像から他の表示に切換える表示切換手段とを備え、モニタが眼底観察像以外の表示に切換えられているときに、前記撮影開始スイッチを前記撮影モード切換手段として共用する構成としたことを特徴とする。
（４）  被検眼眼底を撮影する撮影光学系と、被検眼に投影したアライメント指標の反射像を検出して前記撮影光学系をアライメントする自動アライメント手段と、被検眼眼底に投影したフォーカス指標を検出してフォーカス合わせを行う自動フォーカス手段とを備える眼底カメラにおいて、検者が操作する撮影開始スイッチと、前記自動アライメント手段によるアライメント完了及び自動フォーカス手段によるフォーカス完了の後に撮影を自動的に実行する自動撮影モードと検者の操作による前記撮影開始スイッチの信号により撮影を実行する手動撮影モードとを切換えるモード切換手段と、被検眼の視線を誘導する固視標の呈示位置を眼底中心撮影用と眼底周辺撮影用とに変更可能な固視標呈示手段と、前記固視標の呈示位置を変更する又は変更を検知する変更手段と、該変更手段による固視標の呈示位置を眼底中心撮影用から眼底周辺撮影用に変更する変更信号に連動して、自動撮影モードから手動撮影モードに切換えるモード切換制御手段と、を備えることを特徴とする。
（５）  被検眼眼底を撮影する撮影光学系と、被検眼に投影したアライメント指標の反射像を検出して前記撮影光学系をアライメントする自動アライメント手段と、被検眼眼底に投影したフォーカス指標を検出してフォーカス合わせを行う自動フォーカス手段とを備える眼底カメラにおいて、検者が操作する撮影開始スイッチと、前記自動アライメント手段によるアライメント完了及び自動フォーカス手段によるフォーカス完了の後に撮影を自動的に実行する自動撮影モードと検者の操作による前記撮影開始スイッチの信号により撮影を実行する手動撮影モードとを切換えるモード切換手段と、眼底観察像や撮影画像等を表示するモニタと、該モニタの表示を眼底観察像から他の表示に切換える表示切換手段とを備え、モニタが眼底観察像以外の表示に切換えられているときに、前記撮影開始スイッチを前記撮影モード切換手段として共用する構成としたことを特徴とする。
【発明の効果】
【０００７】
本発明によれば、自動撮影と手動撮影とを切換え可能にし、操作性を向上させてスムーズに撮影を行うことができる。また、構成を複雑にすることなく、良好な眼底画像を得ることができる。
【発明を実施するための最良の形態】
【０００８】
以下、本発明の実施形態を図面に基づいて説明する。図１は本発明に係る無散瞳型の眼底カメラの構成図である。
【０００９】
眼底カメラは、基台１と、ジョイスティック４の操作により左右（Ｘ）方向、前後（Ｚ）方向に移動可能な移動台２と、移動台２に対して三次元移動可能に設けられた撮影部３と、被検者の顔を支持する顔支持ユニット５を備える。６は撮影部３を上下（Ｙ）方向に移動するＹ駆動部であり、７は撮影部３をＸＺ方向に移動するＸＺ駆動部である。撮影部３はジョイスティック４の回転操作によりＹ駆動部６が作動し、上下移動する。８は観察像や撮影像を表示するモニタ８である。また、ジョイスティック４頂部には、検者の手動操作により撮影を実行する撮影開始スイッチ９が設けられている。
【００１０】
図２は、本装置の光学系及び制御系の概略構成図である。照明光学系１０は、観察用と撮影用を有する。撮影用は、撮影光源１４、コンデンサレンズ１５、リングスリット１７、リレーレンズ１８、ミラー１９、黒点板２０、リレーレンズ２１、孔あきミラー２２、対物レンズ２５を有する。また、観察用は、光源１１、赤外フィルタ１２、コンデンサレンズ１３、ダイクロイックミラー１６、リングスリット１７から対物レンズ２５までの光学系を有する。ダイクロイックミラー１６は、赤外光を反射し可視光を透過する特性を持つ。
【００１１】
眼底観察・撮影光学系３０は、対物レンズ２５、孔あきミラー２２の開口近傍に位置する撮影絞り３１、光軸方向に移動可能なフォーカシングレンズ３２、結像レンズ３３、赤外光及び可視光の一部を反射し、可視光の大部分を透過する特性を有するダイクロイックミラー３４を備え、撮影光学系と眼底観察光学系はレンズ２５〜レンズ３３までの光学系を共用する。撮影絞り３１はレンズ２５に関して瞳孔と略共役な位置に配置されている。レンズ３２は移動機構３９により移動される。ダイクロイックミラー３４の透過側には撮影用ＣＣＤカメラ３５が、反射側には赤外反射・可視光透過のダイクロイックミラー３７、レンズ３６、観察用ＣＣＤカメラ３８が配置されている。また、２４は光軸Ｌ１に挿脱可能なダイクロイックミラー２４であり、アライメント光学系５０及び光源５８の光を反射し、観察用照明光及びフォーカス光学系４０等の光源波長を透過する。なお、撮影時には、挿脱機構６６により連動して跳ね上げられ光路外に退避する。
【００１２】
フォーカス光学系４０は、光源４１、指標板４２、指標板４２に取り付けられた２つの偏角プリズム４３、照明光学系１０の光路に斜設されたハーフミラー４４を備える。光源４１、スリット指標板４２は、レンズ３２と連動して移動機構３９により光軸方向に移動される。
【００１３】
アライメント光学系５０は、光軸Ｌ１を中心に左右対称に配置された２組の第１指標投影光学系と、第１指標投影光学系より狭い角度に配置された光軸を持ち光軸Ｌ１が通る垂直平面を挟んで左右対称に配置された２組の第２指標投影光学系を備える。第１指標投影光学系は、被検眼に無限遠の視標を投影する。一方、第２指標投影光学系は、被検眼に有限遠の視標を投影する。なお、アライメント指標投影光学系５０は実際には左右方向に配置されたものである。
また、孔あきミラー２２の穴周辺には、ワーキングドットを形成するための２つの赤外光源５５が光軸Ｌ１を中心に左右対称に配置されており、被検眼とレンズ２５との作動距離が適切になったとき、角膜曲率半径の１／２となる距離が共役位置となるように配置されている。
【００１４】
前眼部観察光学系６０は、ダイクロイックミラー２４の反射側に、フィールドレンズ６１、ミラー６２、絞り６３、リレーレンズ６４、ＣＣＤカメラ６５を備える。また、ＣＣＤカメラ６５はアライメント指標の検出手段を兼ね、照明光源５８により照明された前眼部とアライメント指標が撮像される。図３はＣＣＤカメラ６５で撮像された画像がモニタ８に表示された時の図である。
【００１５】
固視標呈示光学系７０は、赤色の光源７４、開口穴が形成された８個の遮光板を持つ遮光板７１、リレーレンズ７５を備え、ダイクロイックミラー３４〜レンズ２５まで観察光学系３０と光路を共用する。８個の遮光板７１は、図４に示すように、それぞれ開口穴７１ａ〜７１ｈを備える。ディスク板７２はモータ７３により回転駆動され、各遮光板７１が選択的に光源７４の前に配置されると、固視標は図５（ａ）に示す様に、光軸Ｌ２に対し８個の位置８１Ｌ、８１Ｒ、８２〜８７に呈示される。ディスク板７２の初期回転位置は、遮光板７６とセンサ７７により検知されており、制御部９０はそれぞれ開口穴７１ａ〜７１ｈを光源７４の前に配置させるためにパルスモータ７３の回転角度を制御する。
【００１６】
開口穴７１ｂに対応する固視標位置８１Ｒは、右眼の黄班、視神経乳頭をバランスよく含む眼底後極部付近を中心として撮影する（眼底中心部の撮影）ときに使用するものであり、この固視標位置８１Ｒが右眼撮影時の基準位置とされる。一方、開口穴７１ａに対応する固視標位置８１Ｌは左眼の眼底中心部の撮影に使用するものであり、左眼撮影時の基準位置とされる。開口穴７１ｃ〜７１ｈに対応する固視標位置８２〜８７が周辺撮影用の位置とされる。図５（ｂ）は、右眼の撮影において固視標を位置８１Ｒ、位置８２〜８７にそれぞれ変えて撮影したときの眼底像の状態を説明する図であり、領域１１１Ｒ、１１２〜１１７がそれぞれ位置８１Ｒ、位置８２〜８７に対応する。なお、周辺撮影用の固視標位置としては、糖尿病性網膜症や緑内障等の症例に合わせて検者が所望する眼底像が撮影できる位置にしておく。
【００１７】
上記の光学系において、光源５８により照明された前眼部は、レンズ２５、ダイクロイックミラー２４及びレンズ６１からレンズ６４の光学系を介してカメラ６５に受光される。また、光源１１を発した光束は、赤外フィルタ１２により赤外光束とされ、レンズ１３、ダイクロイックミラー１６により反射されてリングスリット１７を照明する。リングスリット１７を透過した光は、レンズ１８、ミラー１９、黒点板２０、レンズ２１を経て孔あきミラー２２に達する。孔あきミラー２２で反射された光は、ダイクロイックミラー２４を透過し、レンズ２５により被検眼Ｅの瞳孔付近で一旦収束した後、拡散して被検眼眼底部を照明する。光源１４を発した光束は、レンズ１５を経た後、観察用光束と同様な光路を経て眼底を照明する。また、フォーカス光学系４０のスリット指標板４２の光束は、偏角プリズム４３を介してハーフミラー４４により反射された後、レンズ２１、孔あきミラー２２、ダイクロイックミラー２４、対物レンズ２５を経て被検眼Ｅの眼底に投影される。眼底のフォーカスが合っていないとき、スリット指標板４２の指標像は分離され、フォーカスが合っているときに一致して投影される。
観察照明光で照明された眼底からの反射光は、レンズ２５、ダイクロイックミラー２４、孔あきミラー２２の開口部、撮影絞り３１、レンズ３２、結像レンズ３３、ダイクロイックミラー３４、ダイクロイックミラー３７、レンズ３６を介してＣＣＤカメラ３８に結像する。
【００１８】
図６は、ＣＣＤカメラ３８で撮像される眼底画像の例であり、眼底像Ｒの中心にフォーカス指標投影光学系４０によるフォーカス指標像Ｓ１、Ｓ２が投影されている。眼底にフォーカスが合っていないときにはフォーカス指標像Ｓ１、Ｓ２は分離され、フォーカスが合っているときに一致して投影される。
また、撮影時には、撮影用照明光による眼底反射光は、レンズ２５、孔あきミラー２２、撮影絞り３１、レンズ３２、ダイクロイックミラー３４を経て、ＣＣＤカメラ３５に結像する。
【００１９】
カメラ６５、３８、３５の出力は画像処理部８０に接続されている。画像処理部８０はＣＣＤカメラ６５に撮像された前眼部の画像からアライメント指標を検出処理し、ＣＣＤカメラ３８に撮像された眼底画像からフォーカス指標を検出処理する。なお、本装置は、画像処理部８０にて検出処理されたアライメント情報に基づいてＸＺ駆動部７及びＹ駆動部６を駆動制御して撮影部３を被検眼に自動的にアライメントするオートアライメント機能と、画像処理部８０により検出処理されたフォーカス視標像の検出情報に基づいて移動機構３９を駆動して、フォーカス指標像が一致するようにレンズ３２及びスリット指標板４２を光軸方向に移動させ自動的にフォーカス合わせを行うオートフォーカス機能を有する。
また、画像処理部８０は表示モニタ８に接続されており、その表示画像を制御する。制御部９０には画像処理部８０、Ｙ駆動部６、ＸＺ駆動部７、ジョイスティック４、移動機構３９、挿脱機構６６、撮影開始スイッチ９、各種の操作スイッチを持つスイッチ部９４、各光源等が接続されている。
【００２０】
スイッチ部９４において、スイッチ部９４ａは、検者の手動操作によりアライメント及びフォーカス合わせを行うとともに手動操作により撮影を実行する手動撮影モードと、前記オートアライメント及びオートフォーカス機能を動作させてそれぞれ所定の完了条件を満たしたら自動的に撮影を実行する自動撮影モードとを切換える撮影モード切換スイッチである。９４ｂは固視標の位置を変更するための変更スイッチであり、固視標の位置を８個の位置８１Ｌ、８１Ｒ、８２〜８７のいずれかに選択的に変更することが可能である。９４ｃは、検者の操作により眼底像のフォーカス状態をマニュアル調節するための調整ダイヤルである。
【００２１】
上記のような構成を持つ装置において、その動作を説明する。ここでは、右眼の眼底中央部を撮影した後、右眼の眼底周辺部を撮影する場合について説明する。
最初に、眼底中央部を撮影するステップについて説明する。検者は、撮影作業の手間を軽減するべく、切換スイッチ部９４ａにより自動撮影モードに設定する。また、固視標スイッチ９４ｃにより固視標位置を８１Ｒに設定する。
【００２２】
まず、被検者の顔を顔支持ユニット５により支持する。被検眼にはこの標準位置の固視標を固視させる。検者はモニタ８に表示された前眼部像を観察し、ジョイスティック４の操作により撮影部３を被検眼に対して粗くアライメント調整する。そして、図３（ａ）に示したように、ＣＣＤカメラ６５で撮像された４つの指標像Ｍａ〜Ｍｄが画像処理部８０により検出されるようになると、制御部９０は、指標像Ｍａ，Ｍｂの中間位置を角膜頂点位置Ｍｏとして、ＸＹ方向のアライメント基準位置Ｏに対する偏位量Δｄを求め、ＸＺ駆動部７及びＹ駆動部６を駆動制御する。また、無限遠光源による指標像Ｍａ，Ｍｂの間隔と、有限遠光源による指標像Ｍｃ，Ｍｄの間隔とを比較することにより、Ｚ方向のアライメント状態を検出して、Ｚ方向のアライメント基準位置に対する偏位量を求め、ＸＺ駆動部７を駆動制御する（詳しくは、特開平６−４６９９９号公報）。このようにして制御部９０は、被検眼に対する撮影部３のＸＹＺ方向の自動アライメントを作動させ、所定のアライメント条件を満たすよう撮影部３を移動させる。
【００２３】
ＸＹＺ方向の自動アライメントが完了したら、制御部９０は、画像処理部８０により検出処理された眼底画像のフォーカス指標像Ｓ１，Ｓ２の分離情報を基に移動機構３９を駆動し、フォーカシングレンズ３２及びスリット指標板４２を光軸方向に移動することにより、眼底のフォーカス調整を自動的に行う。
【００２４】
制御部９０は、ＸＹＺ方向のオートアライメントの完了と、オートフォーカスの完了が検出されると、モニタ８の画面をＣＣＤカメラ３８による眼底画像に切換える。また、制御部９０は、オートフォーカスを一旦完了させると、その後はオートフォーカスの作動を許可する許可信号が入力されるまで、オートフォーカスの作動を停止する。
【００２５】
そして、モニタ８の画面が眼底画像に切り換わった後、所定時間経過したら、制御部９０は、眼底撮影の動作を自動的に実行する。制御部９０は挿脱機構６６を駆動することによりダイクロイックミラー２４を光路から離脱させると共に、撮影光源１４を発光する。撮影光源１４の発光により、眼底は可視光により照明され、眼底からの反射光は対物レンズ２５、孔あきミラー２２の開口部、撮影絞り３１、レンズ３２、結像レンズ３３、ダイクロイックミラー３４を経てＣＣＤカメラ３５に結像する。モニタ８の表示は画像処理部８０によってＣＣＤカメラ３５で撮影されたカラーの眼底画像に切換えられる。ＣＣＤカメラ３５で撮影された眼底像は、画像処理部８０が持つ画像メモリに記憶される。以上、自動撮影モードにより眼底中央部の撮影が自動的に行われるため、検者の撮影作業の手間が軽減される。
【００２６】
眼底中央部の撮影が終了したら、眼底周辺部の撮影に移行する。眼底周辺部の撮影を行う場合、検者は固視標スイッチ９４ｃにより固視標を周辺撮影用の固視標位置８２〜８７のいずれかに設定する。例えば、右眼の視神経乳頭を撮影するため、周辺領域１１５を選択するものとし、位置８５に設定する。ここで、固視標の位置を設定するべく、固視標選択スイッチ９４ｃからの操作信号が入力されると、制御部９０は、パルスモータ７３を駆動して開口穴７１ｆを持つ遮蔽板７１を光源４１の前に自動的に配置する。これにより被検眼の視軸が図７（ａ）に示す様に固視標位置８５の方向に誘導され、眼底での観察像は図７（ｂ）に示す周辺領域１１５になる。なお、眼位が傾いてフォーカス指標像Ｓ１，Ｓ２が欠けたり、ボケたりする場合もあるが、オートフォーカスが一旦完了した後は、オートフォーカスの作動が停止しているため、フォーカス指標像の検出不良によるオートフォーカスの誤動作が防止される。
【００２７】
また、上記のように固視標スイッチ９４ｂから固視標位置を中心撮影用から周辺撮影用の位置に変更する操作信号が入力されると、制御部９０は、固視標位置の変更に連動して、自動撮影モードから手動撮影モードへと自動的に切り換える。眼底周辺部の撮影時に手動撮影モードに切換えるのは、撮影光軸と被検眼の視軸が大きくずれるためにフォーカス指標が欠けたり、ボケたりして、自動的なフォーカス合わせは難しく、また、アライメント指標の検出も、眼底中心の撮影時と同じ条件ではフレア等が発生しやすくなるため、眼底周辺部撮影の自動アライメントは難しいためである。
【００２８】
固視標選択スイッチ９４ｂの入力により、固視標位置が変更され、手動撮影モードに切り換わると、検者は、モニタ８に表示される周辺撮影用の眼底像を観察し、フレアの無い画像が観察できるようにジョイスティック４等をマニュアル操作してアライメントの微調整を行う。また、フォーカス方向についても、調整ダイヤル９４ｃによりレンズ３２を前後に移動することにより、マニュアル操作でフォーカスの微調整を行える。ここで、所望する部位が良好に観察できていれば、スイッチ９を押すことにより撮影が実行される。
【００２９】
以上、固視標スイッチ９４ｂの入力により固視標位置が周辺撮影用に変更されるのに連動して、自動撮影モードから手動撮影モードに切換える構成としたため、切換スイッチ部９４ａによるモード切換（自動→手動）操作と、固視標位置選択スイッチ９４ｃによる固視標位置切換（中心撮影用→周辺撮影用）操作の両方を行う必要がなくなるため、検者の手間が軽減される。
【００３０】
次に、被検者が変更され、再度自動撮影モードで眼底中心部を撮影する場合、検者は切換スイッチ部９４ａを操作して手動撮影モードから自動撮影モードへと切換える。この時、撮影モードの変更に連動して、制御部９０は固視標の呈示位置を周辺撮影用から中心撮影用の位置に変更する。これにより、固視標位置選択スイッチによる固視標位置切換（周辺撮影用→中心撮影用）操作を行う必要が無くなるため、検者の手間が軽減される。
【００３１】
上記では自動撮影モード及び手動撮影モードを切換えるときには、その切換えの専用スイッチとして用意されたスイッチ部９４ａを用いる構成としたが、既存のスイッチを兼用すると、スイッチ構成を簡略化できる。例えば、撮影開始スイッチ９を兼用する。スイッチ９が、例えば、２秒以上長く押されると、制御部９０はこのスイッチ信号を撮影モード（自動撮影モードと手動撮影モード）の切換え信号とする。この場合、撮影モードを切換え可能な時期としては、誤って撮影が実行されるのを防止するべく、モニタ８の表示が眼底観察像以外に切換えられているとき、すなわち、モニタ８が前眼部像の表示や眼底撮影画像の表示とされている時としておく。眼底撮影の実行時はモニタ８に表示された眼底像を観察しながら行うので、制御部９０はモニタ８に眼底像が表示されているときで、且つスイッチ９が２秒より短い時間で押されたときに、この信号を撮影開始のトリガ信号とする。２秒以上長押しされたときは、エラーとしてその旨をモニタ８に表示する。逆に、モニタ８の表示が眼底観察像以外に切換えられているときに、スイッチ９が２秒より短い時間で押されたときもエラーとする。専用スイッチを設けると、スイッチの数が増えて、検者はスイッチ操作に迷うことがあり、かえって誤操作を招く場合もある。既存のスイッチを予め約束された条件で機能を分担することにより、スイッチ構成を簡略化しつつ、誤操作の防止にもつながる。また、撮影開始スイッチ９の長押し操作により撮影モードが切換わる構成とすることで、撮影実行（スイッチ９の短時間押し）の操作と区別されるので、操作性が向上し誤操作が少なくなる。
【００３２】
また、切換スイッチ部９４ａの入力に応じてモニタ８に自動撮影モードもしくは手動撮影モードかを示す旨の表示する構成とすれば、検者は現在の撮影モードを容易に判別することができるため都合がよい。
【００３３】
なお、固視標の呈示位置を眼底中心撮影用から眼底周辺撮影用に変更する信号に連動して、自動撮影モードから手動撮影モードに切換える制御に当たって、固視標呈示光学系７０の構成の一部としては、図８のような検者の手動操作により固視標位置を変更する構成としても良い。固視目標となる点光源１３６はレバー１４０の操作により、被検眼眼底と略共役な平面内で移動可能に構成されている。点光源１３６が取り付けられたレバー１４０には長穴１４０ａが形成されており、レバー１４０はビス１４３等によって眼底カメラの筐体部１４５に摺動自在に保持されている。そして、レバー１４０の一部は筐体部２４５から突出しており、検者はレバー４０を操作することで、被検眼の眼底（視線方向）を所望の撮影部位へ誘導できるようになっている。１５０は、固視標となる点光源１３６が眼底中心撮影用の位置にあるか否かを検知するセンサである。この場合、検者が周辺撮影を行うべくレバー１４０を動かしたことにより、固視標の位置が眼底中心撮影用の位置から外れたことをセンサ１５０が検知し、センサ１５０の検知による変更信号に連動して、制御部９０は、自動撮影モードから周辺撮影モードに切り換わるような構成とすればよい。
【００３４】
また、本実施例においては、眼底観察用のＣＣＤカメラ３８と前眼部観察用のＣＣＤカメラ６５を別々に備える構成としたが、観察・撮影光路へのレンズの挿脱により単一のＣＣＤカメラで前眼部像と眼底像を撮像できる眼底カメラにおいても、本発明の適用が可能である（例えば、特開平８−２７５９２１号公報）。
【図面の簡単な説明】
【００３５】
【図１】本発明に係る無散瞳型の眼底カメラの構成図である。
【図２】本装置の光学系及び制御系の概略構成図である。
【図３】モニタに表示された前眼部とアライメント視標を説明する図である。
【図４】固視標呈示光学系における遮光板の構成を説明する図である。
【図５】固視標位置及びこれに対応する眼底撮影像の状態を説明する図である。
【図６】ＣＣＤカメラで撮像される眼底画像の例である。
【図７】眼底中央部から眼底周辺部へ撮影を移行した時の固視標位置とこれに対応する撮影領域を説明する図である。
【図８】検者の手動操作により固視標位置を変更する構成を説明する図である。
【符号の説明】
【００３６】
６  Ｙ駆動部
７  ＸＺ駆動部
９  撮影開始スイッチ
３５、３８、６５  ＣＣＤカメラ
４０  フォーカス視標投影光学系
５０  アライメント視標投影光学系
７０  固視標呈示光学系
８０  画像処理部
８１Ｒ  右眼眼底の中心部撮影用の固視標位置
８１Ｌ  右眼眼底の中心部撮影用の固視標位置
８２〜８７  周辺撮影用の固視標位置
９０  制御部
９４ａ  撮影モード切換スイッチ
９４ｂ  固視標位置変更スイッチ
９４ｃ  調整ダイヤル
【図１】
2006149981.tif 000003
【図２】
2006149981.tif 000004
【図３】
2006149981.tif 000005
【図４】
2006149981.tif 000006
【図５】
2006149981.tif 000007
【図６】
2006149981.tif 000008
【図７】
2006149981.tif 000009
【図８】
2006149981.tif 000010